【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
開口を有するハウジングと、
前記ハウジング内に移動可能に装着され、予圧側面、および、少なくとも１つのインパクト・ヘッドに結合するための外側端シャンクを含む外側端から成るスラスト・ノーズ部分であって、前記開口によって前記結合された外側端シャンクのインパクト・ヘッドが人体に接触することができる、スラスト・ノーズ部分と、
前記スラスト・ノーズ部分の予圧端に結合された予圧スイッチ・プランジャと、
前記ハウジングと前記スラスト・ノーズ部分の前記外側端との間、または前記ハウジングと前記スラスト・ノーズ部分を受け入れるための第１通路を有する第１内部ハウジング・ストップとの間に挿入された緩衝ばねと、
前記ハウジング内に装着されたソレノイドであって、
長手方向の中心軸、および、
前記予圧スイッチ・プランジャを受け入れるための第３通路を有するコアであって、前記コアは、前記長手方向の中心軸に沿って移動可能であり、かつ前記スラスト・ノーズ部分と整列する、コアを含むソレノイドと、
前記スラスト・ノーズ部分の前記予圧側面と、前記結合された予圧スイッチ・プランジャの予圧端を十分に受け入れるための第２通路を有する第２内部ハウジング・ストップとの間に挿入された予圧ばねと、
前記コアと、前記結合された予圧スイッチ・プランジャの予圧端との間に挿入された反衝ばねと、
前記結合された予圧スイッチ・プランジャの予圧端から前記コアへの通常の圧力を防ぎ、かつ、前記予圧スイッチ・プランジャを受け入れるための第４内部通路を有する第３内部ストップと、
前記ソレノイドにエネルギーを与える交流を提供するために電力源に機能的に接続され、前記電力源とは独立して再生成可能なインパルス・エネルギーを前記コアから前記スラスト・ノーズ部分に与える電子パルス・システムと、
前記予圧スイッチ・プランジャによって起動されるスイッチを含む前記電子パルス・システムを始動させるためのトリガ・システムと、
から構成されることを特徴とするカイロプラクティック用調整機器。
【請求項２】
前記コアと前記第３内部ストップとの間に緩衝器通路を有する緩衝器をさらに含むことを特徴とする請求項１記載のカイロプラクティック用調整機器。
【請求項３】
前記予圧スイッチ・プランジャを受け入れるカップラ内部通路を有し、かつ、前記反衝ばねと前記与圧スイッチ・プランジャとの間に挿入された、カップラをさらに含み、前記コアは、前記カップラに結合するために適合したカップラ端を有することを特徴とする請求項１記載のカイロプラクティック調整機器。
【請求項４】
前記カップラは、非導電性の材料で作成されることを特徴とする請求項３記載のカイロプラクティック用調整機器。
【請求項５】
前記非導電性の材料は、ナイロンおよびテフロン(登録商標)を含むグループから選択されることを特徴とする請求項４記載のカイロプラクティック用調整機器。
【請求項６】
前記スラスト・ノーズ部分は、前記予圧スイッチ・プランジャに結合するために適合した予圧端を有する予圧シャンクをさらに含むことを特徴とする請求項１記載のカイロプラクティック用調整機器。
【請求項７】
予圧スイッチ・プランジャは、金属、非導電性のプラスチック、およびそれらの組合せを含むグループから選択された材料で作成されることを特徴とする請求項１記載のカイロプラクティック用調整機器。
【請求項８】
前記ハウジングは、拳銃形であることを特徴とする請求項１記載のカイロプラクティック用調整機器。
【請求項９】
前記電力源は、９０ボルトから２６５ボルトの電圧、および５０ヘルツから６０ヘルツの周波数を有する単相交流であることを特徴とする請求項１記載のカイロプラクティック用調整機器。
【請求項１０】
前記電子パルス・システムは、パルス回路に電力を供給するために交流電気の一部を直流に変換するトランスフォーマ、および、交流電気の前記電圧および周波数を分析し、少なくとも２つの交流高電圧の切換えを制御するプログラム可能なマイクロプロセッサを含み、その結果、前記交流電気にかかわらず再生成可能である規則的な電気的インパルスが前記ソレノイドに提供されることを特徴とする請求項９記載のカイロプラクティック用調整機器。
【請求項１１】
前記切換えは、光学的、電気的、機械的、磁気的な切換え、およびこれらの組合せを含むグループから選択されることを特徴とする請求項１記載のカイロプラクティック用調整機器。
【請求項１２】
トリガ・スイッチを起動するためのトリガをさらに含み、前記トリガ・スイッチは、光学的、電気的、機械的、磁気的な切換え、およびこれらの組合せを含むグループから選択されることを特徴とする請求項１１記載のカイロプラクティック用調整機器。
【請求項１３】
電力オン表示、予圧準備完了表示、およびエラー表示を提供するためのインディケータをさらに含むことを特徴とする請求項１記載のカイロプラクティック調整機器。
【請求項１４】
前記インディケータは、ビジュアル・インディケータおよびサウンド・インディケータを含むグループから選択されることを特徴とする請求項１３記載のカイロプラクティック用調整機器。
【請求項１５】
前記インディケータは、少なくとも１つの発光ダイオードであることを特徴とする請求項１４記載のカイロプラクティック用調整機器。
【請求項１６】
前記少なくとも１つの発光ダイオードは、少なくとも１つの色、少なくとも１つの点滅、およびそれらの組合せを含むグループから選択された組合せを使用して、電力、適切な予圧およびパルス・モード、およびエラー・モードを表示することを特徴とする請求項１５記載のカイロプラクティック用調整機器。
【請求項１７】
前記少なくとも１つのインパクト・ヘッドは、単一の接触ヘッド、頸部用の２つの接触ヘッド、および胸部および腰部用の２つのヘッドを含むグループから選択されることを特徴とする請求項１記載のカイロプラクティック用調整機器。
【請求項１８】
前記電子パルス・システムは、一定のパルス期間を有する規則的なインパルスを生成することを特徴とする請求項１記載のカイロプラクティック用調整機器。
【請求項１９】
前記規則的なインパルスは、ほぼ半波正弦波であることを特徴とする請求項１８記載のカイロプラクティック調整機器。
【請求項２０】
予めプログラムされた付与されたインパルス・エネルギーまたはパルス・モードを個別に変更するために、少なくとも２つの位置を有するレベル・スイッチをさらに含むことを特徴とする請求項１記載のカイロプラクティック用調整機器。
【請求項２１】
衝撃吸収グリップをさらに含むことを特徴とする請求項１記載のカイロプラクティック調整機器。
【請求項２２】
前記電子パルス・システムのテスト、評価、およびプログラミングのためのアクセス・ポートをさらに含むことを特徴とする請求項１記載のカイロプラクティック用調整機器。
【請求項２３】
前記外側端シャンクはボアを有し、また、前記少なくとも１つのインパクト・ヘッドは、溝およびそこに結合されたＯリングを有するインパクト・シャンクを有し、その結果、前記インパクト・シャンクは、前記ボア内を移動可能にスライドし、前記Ｏリングは前記ボアに適合するように圧縮されることを特徴とする請求項１記載のカイロプラクティック調整機器。
【請求項２４】
インパクト・ヘッドと、
ハウジングと、から構成され、
前記ハウジングは、
予圧起動位置を有し、かつ、前記インパクト・ヘッドに結合された電気機械式駆動機構、
電力源および前記電気機械式駆動機構に結合された電子パルス・システム、および、
スイッチによって前記電気機械式駆動機構に結合され、かつ、トリガ・スイッチによって前記電子パルス・システムに結合されたトリガ・システムを含み、
前記トリガ・スイッチは、前記電気機械式駆動機構が前記スイッチを起動する前記予圧起動位置に無い限り、前記電気機械式駆動機構にエネルギーを与えるための前記電子パルス・システムを起動することができない、
ことを特徴とするカイロプラクティック用調整機器。
【請求項２５】
ステータス情報のために、前記トリガ・システム、電子パルス・システム、および電気機械式システムに結合されたインディケータをさらに含むことを特徴とする請求項２４記載のカイロプラクティック用調整機器。
【請求項２６】
前記インディケータは、電力オン表示、予圧準備完了表示、およびエラー表示を提供することを特徴とする請求項２５記載のカイロプラクティック用調整機器。
【請求項２７】
前記インディケータは、ビジュアル・インディケータおよびサウンド・インディケータを含むグループから選択されることを特徴とする請求項２５記載のカイロプラクティック用調整機器。
【請求項２８】
前記インディケータは、少なくとも１つの発光ダイオードであることを特徴とする請求項２７記載のカイロプラクティック用調整機器。
【請求項２９】
前記少なくとも１つの発光ダイオードは、少なくとも１つの色、少なくとも１つの点滅、およびそれらの組合せを含むグループから選択された組合せを使用して、電力、適切な予圧および電子パルス・モード、およびエラー・モードを表示することを特徴とする請求項２８記載のカイロプラクティック用調整機器。
【請求項３０】
前記インディケータは、音響出力装置であることを特徴とする請求項２７記載のカイロプラクティック用調整機器。
【請求項３１】
前記電力源は、交流源であることを特徴とする請求項２４記載のカイロプラクティック用調整機器。
【請求項３２】
前記電力源は、電池であることを特徴とする請求項２４記載のカイロプラクティック用調整機器。
【手続補正２】
【補正対象書類名】明細書
【補正対象項目名】００１５
【補正方法】変更
【補正の内容】
【００１５】
好適な実施例では、カイロプラクティック用調整機器１０は、電気機械式駆動機構１００を装着するための開口２０および内側空洞(inside cavity)３０を有する。ハウジングは、プラスチックのような非導電材料で作成されるのが好ましい。図７の好適な実施例で示されるように、内側空洞は、ハウジング内側１０２、第１内部ハウジング・ストップ１０５、第２内部ハウジング・ストップ１１０、第３内部ハウジング・ストップ１１５、およびハウジング１２内に電気機械式駆動機構を配置するための内部空洞(interior
cavity)から構成される。
【手続補正３】
【補正対象書類名】明細書
【補正対象項目名】００２０
【補正方法】変更
【補正の内容】
【００２０】
図７、図８、図９および図１１の好適な実施例に示されるように、ソレノイド１８０は、コアの開口１８１および移動可能なコア１８２および長手方向軸１８４を有する。ソレノイド１８０はハウジング１２内の固定位置に装着され、その結果、コア１８２は長手方向軸１８４に沿って移動可能となり、スラスト・ノーズ部分１３０と整列する。さらに、コアは、予圧スイッチ・プランジャ１５０を受け入れるために、コア１８２の全長にわたって横断する第３通路１８６を有する。コア１８２は、ソレノイド１８０が電流によってエネルギーを与えられたときに、ソレノイド１８０と電磁的に結合する材料で作成される。
【手続補正４】
【補正対象書類名】明細書
【補正対象項目名】００２１
【補正方法】変更
【補正の内容】
【００２１】
図７、図８、および図１１の好適な実施例に示されるように、反衝ばね１６０は、コア１８２と、結合された予圧スイッチ・プランジャの予圧端との間に挿入され、生成された後方への力を低減し、かつ、カイロプラクティック用調整機器１０が静止しているときに、適切な位置にコアを配置するために選択される。図示されたより好適な実施例では、反衝ばねは、スチールのような金属または十分な弾力を有する他の材料で作成される。図７、図９、および図１１に示されるように、カイロプラクティック用調整機器１０の好適な実施例は、コア１８２と反衝ばね１６０との間にカップラ１７０を含む。さらに、より好適な実施例では、カップラ１７０は、プラスチックおよび最も好ましくはナイロンまたはテフロン（登録商標）のような非導電性の材料で作成される。図７、図９、および図１１で示される好適な実施例では、反衝ばねは、カップラ１７０と予圧スイッチ・プランジャ１５０との間に挿入される。